(57)【要約】【課題】本発明は、通信装置のデータのバックアップを簡素にすることを目的とする。【解決手段】本願発明のデータ保存システムは、通信装置９１と充電装置９２を備え、通信装置９１は、充電式電池１４と、充電式電池１４に電力を供給する通信装置用充電端子１１と、通信装置用充電端子１１が充電装置９２に接続されたことを契機に、予め定められたデータを通信装置用充電端子１１に出力する電力線通信制御回路１２と、を備え、充電装置９２は、通信装置９１に電力を供給する充電装置用充電端子２１と、充電装置用充電端子２１に入力されたデータを記憶する記憶回路２３と、充電装置用充電端子２１が通信装置用充電端子１１に接続されたことを契機に、充電装置用充電端子２１を介して通信装置９１に電力を供給するとともに、充電装置用充電端子２１に入力されたデータを記憶回路２３に記憶させる充電制御回路２２と、を有する。【選択図】図１
2011050002.tif 000002
【特許請求の範囲】
【請求項１】
充電式電池と、
前記充電式電池に電力を供給する通信装置用充電端子と、
前記通信装置用充電端子が充電装置の充電装置用充電端子に接続されたことを契機に、予め定められたデータを前記通信装置用充電端子に出力する電力線通信制御回路と、を備える通信装置、
及び、
前記通信装置に電力を供給する充電装置用充電端子と、
前記充電装置用充電端子に入力されたデータを記憶する記憶回路と、
前記充電装置用充電端子が前記通信装置用充電端子に接続されたことを契機に、前記充電装置用充電端子を介して前記通信装置に電力を供給するとともに、前記充電装置用充電端子に入力されたデータを前記記憶回路に記憶させる充電制御回路と、を備える充電装置、
を有するデータ保存システム。
【請求項２】
前記通信装置の前記電力線通信制御回路は、
特定のデータの読み出しを要求する読出要求信号を前記通信装置用充電端子に出力し、前記特定のデータを前記通信装置用充電端子から取得すると、取得した前記特定のデータを視聴可能にする外部出力回路に出力し、
前記充電装置の前記充電制御回路は、
前記通信装置の前記電力線通信制御回路から前記読出要求信号を取得すると、要求のあった前記特定のデータを前記記憶回路から読み出して前記充電装置用充電端子に出力する
ことを特徴とする請求項１に記載のデータ保存システム。
【請求項３】
前記通信装置の前記電力線通信制御回路は、電力線搬送方式を用いて前記予め定められたデータを前記通信装置から前記充電装置に転送することを特徴とする請求項１又は２に記載のデータ保存システム。
【請求項４】
前記予め定められたデータは、音楽又は動画であることを特徴とする請求項１から３のいずれかに記載のデータ保存システム。
【請求項５】
前記通信装置は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）を含む携帯端末であることを特徴とする請求項１から４のいずれかに記載のデータ保存システム。
【請求項６】
充電式電池と、
前記充電式電池に電力を供給する通信装置用充電端子と、
前記通信装置用充電端子が充電装置の充電装置用充電端子に接続されたことを契機に、予め定められたデータを前記通信装置用充電端子に出力する電力線通信制御回路と、を備えることを特徴とする通信装置。
【請求項７】
前記電力線通信制御回路は、
特定のデータの読み出しを要求する読出要求信号を前記通信装置用充電端子に出力し、前記特定のデータを前記通信装置用充電端子から取得すると、取得した前記特定のデータを視聴可能にする外部出力回路に出力することを特徴とする請求項６に記載の通信装置。
【請求項８】
前記電力線通信制御回路は、電力線搬送方式を用いて前記予め定められたデータを前記通信装置用充電端子に出力することを特徴とする請求項６又は７に記載の通信装置。
【請求項９】
前記予め定められたデータは、音楽又は動画であることを特徴とする請求項６から８のいずれかに記載の通信装置。
【請求項１０】
前記通信装置は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）を含む携帯端末であることを特徴とする請求項６から９のいずれかに記載の通信装置。
【請求項１１】
通信装置に電力を供給する充電装置用充電端子と、
前記充電装置用充電端子に入力されたデータを記憶する記憶回路と、
前記充電装置用充電端子が前記通信装置の通信装置用充電端子に接続されたことを契機に、前記充電装置用充電端子を介して前記通信装置に電力を供給するとともに、前記充電装置用充電端子に入力されたデータを前記記憶回路に記憶させる充電制御回路と、
を備えることを特徴とする充電装置。
【請求項１２】
前記充電制御回路は、
前記通信装置の前記電力線通信制御回路から前記読出要求信号を取得すると、要求のあった前記特定のデータを前記記憶回路から読み出して前記充電装置用充電端子に出力することを特徴とする請求項１１に記載の充電装置。
【請求項１３】
前記充電制御回路は、電力線搬送方式を用いて伝送されたデータを前記充電装置用充電端子から取得することを特徴とする請求項１１又は１２に記載の充電装置。
【請求項１４】
前記予め定められたデータは、音楽又は動画であることを特徴とする請求項１１から１３のいずれかに記載の充電装置。
【請求項１５】
前記通信装置は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）を含む携帯端末であることを特徴とする請求項１１から１４のいずれかに記載の充電装置。
【請求項１６】
通信装置に備わる通信装置用充電端子と充電装置に備わる充電装置用充電端子が接続されると、前記通信装置用充電端子及び前記充電装置用充電端子を介して前記充電装置から前記通信装置へ電力を供給するとともに、前記通信装置用充電端子及び前記充電装置用充電端子を介して前記通信装置に格納されている予め定められたデータを前記充電装置に転送し、前記充電装置の記憶回路に記憶させるデータ転送手順を有することを特徴とするデータ保存方法。
【請求項１７】
前記データ転送手順で前記通信装置から前記充電装置に転送したデータのうちの特定のデータの読み出しを、前記通信装置から前記充電装置に要求する読み出し要求手順と、
前記読み出し要求手順で要求された前記特定のデータを前記充電装置で読み出して前記通信装置に転送し、前記特定のデータを視聴可能にする外部出力回路に出力するデータ出力手順と、
を前記データ転送手順の後にさらに順に有することを特徴とする請求項１６に記載のデータ保存方法。
【請求項１８】
前記データ転送手順において、電力線搬送方式を用いて前記予め定められたデータを前記通信装置から前記充電装置に転送することを特徴とする請求項１６又は１７に記載のデータ保存方法。
【請求項１９】
前記予め定められたデータは、音楽又は動画であることを特徴とする請求項１６から１８のいずれかに記載のデータ保存方法。
【請求項２０】
前記通信装置は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）を含む携帯端末であることを特徴とする請求項１６から１９のいずれかに記載のデータ保存方法。
【請求項２１】
充電式電池に接続されている通信装置用充電端子が充電装置に接続されたことを契機に、前記通信装置用充電端子から前記充電式電池に電力を供給するとともに、記憶回路に記憶されているデータを前記通信装置用充電端子に出力するデータ転送ステップ、
をコンピュータに実行させることを特徴とする通信装置のデータ保存プログラム。
【請求項２２】
前記データ転送ステップで転送したデータのうちの特定のデータの読み出しを要求する読出要求信号を前記通信装置用充電端子に出力する読み出し要求ステップと、
前記読み出し要求ステップで要求した前記特定のデータを前記通信装置用充電端子から取得し、前記特定のデータを視聴可能にする外部出力回路に出力するデータ出力ステップと、
を前記データ転送ステップの後にさらに順にコンピュータに実行させることを特徴とする請求項２１に記載の通信装置のデータ保存プログラム。
【請求項２３】
前記通信装置の前記電力線通信制御回路は、電力線搬送方式を用いて前記予め定められたデータを前記通信装置用充電端子に出力することを特徴とする請求項２１又は２２に記載の通信装置のデータ保存プログラム。
【請求項２４】
前記予め定められたデータは、音楽又は動画であることを特徴とする請求項２１から２３のいずれかに記載の通信装置のデータ保存プログラム。
【請求項２５】
前記通信装置は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）を含む携帯端末であることを特徴とする請求項２１から２４のいずれかに記載の通信装置のデータ保存プログラム。
【請求項２６】
電力供給用の前記充電装置用充電端子が通信装置に接続されたことを契機に、前記充電装置用充電端子に電力を供給するとともに、前記充電装置用充電端子に入力されるデータを記憶回路に記憶させるデータ転送ステップ、
をコンピュータに実行させることを特徴とする充電装置のデータ保存プログラム。
【請求項２７】
前記データ転送ステップで記憶したデータのうちの特定のデータの読み出しを要求する読出要求信号要求を前記充電装置用充電端子から取得する読み出し要求ステップと、
前記読み出し要求ステップで要求された前記特定のデータを前記記憶回路から読み出し、前記充電装置用充電端子に出力する読み出しステップと、
を前記データ転送ステップの後にさらに順にコンピュータに実行させることを特徴とする請求項２６に記載の充電装置のデータ保存プログラム。
【請求項２８】
前記データ転送ステップにおいて、電力線搬送方式を用いて伝送されたデータを前記充電装置用充電端子から取得することを特徴とする請求項２６又は２７に記載の充電装置のデータ保存プログラム。
【請求項２９】
前記予め定められたデータは、音楽又は動画であることを特徴とする請求項２６から２８のいずれかに記載の充電装置のデータ保存プログラム。
【請求項３０】
前記通信装置は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）を含む携帯端末であることを特徴とする請求項２６から２９のいずれかに記載の充電装置のデータ保存プログラム。
【発明の詳細な説明】
【技術分野】
【０００１】
本発明は、通信装置及び充電装置を備えるデータ保存システム、通信装置、充電装置、データ保存方法、通信装置のデータ保存プログラム、並びに、充電装置のデータ保存プログラムに関する。
【背景技術】
【０００２】
通信装置の充電装置であって、データの送受信機能を有する充電装置が提案されている（例えば、特許文献１から５参照。）。
特許文献１の充電装置は、通信装置とのコネクタと、電力線搬送通信用のベースバンドプロセッサと、ベースバンドプロセッサの不揮発性メモリと、を備え、以下のように動作する。コネクタは、通信装置との間で送受信データを転送する。ベースバンドプロセッサは、充電装置に接続されている電力線を介してネットワークからデータを受信し、通信装置へデータを送信する。不揮発性メモリは、送受信したデータを記憶する。コネクタは、不揮発性メモリに記憶したデータを通信装置に転送する。これによって、特許文献１の充電装置は、通信装置のデータを更新する。
【０００３】
特許文献２の充電装置は、電流監視回路と、メモリと、制御部と、を備え、以下のように動作する。電流監視回路は、充電時に流れる電流を監視する。制御部は、電流監視回路からの充電完了検出信号の入力を契機に充電完了を検知し、データ転送モードをオンにする。データ転送モードがオンになると、メモリは、通信装置に記憶されている電話帳の内容などのデータを、電力線を介して取得し、記憶する。これによって、特許文献２の充電装置は、通信装置のデータを記憶する。
【０００４】
特許文献３の充電装置は、電圧変換部と、ホルダ制御部と、記憶部と、を備え、以下のように動作する。電圧変換部は、コンセントプラグを介して供給される交流電圧を直流電圧に変換して通信装置に供給する。ホルダ制御部は、通信装置からＩｒＤＡを介してデータを受信する。記憶部は、受信したデータを記憶部に格納する。これによって、特許文献３の充電装置は、通信装置のデータを記憶する。
【０００５】
特許文献４の充電装置は、給電用端子と、接続ポートと、マイクロコンピュータと、補助記憶手段と、を備え、以下のように動作する。給電用端子は、通信装置に給電する。マイクロコンピュータは、給電用端子とは異なる接続ポートを介して通信装置の補助メモリに記憶されているデータを取得し、取得したデータを補助記憶手段にバックアップコピーする。これによって、特許文献４の充電装置は、通信装置のデータを記憶する。
【０００６】
特許文献５の充電装置は、電源回路と、ＰＬＣ（Ｐｏｗｅｒ  Ｌｉｎｅ  Ｃｏｍｍｕｎｉｃａｔｉｏｎ）通信回路と、を備え、以下のように動作する。電源回路は、通信装置のバッテリに充電する。ＰＬＣ通信回路は、通信装置とテレビジョン受像機を接続する。これによって、特許文献５の充電装置は、通信装置とテレビジョン受像機との間の通信を可能にする。
【先行技術文献】
【特許文献】
【０００７】
【特許文献１】特開２００３−１６９００４号公報
【特許文献２】特開２００３−２８３６１０号公報
【特許文献３】特開２００４−０１５５１１号公報
【特許文献４】特開２００４−０３２４８０号公報
【特許文献５】特開２００９−０７１５６８号公報
【発明の概要】
【発明が解決しようとする課題】
【０００８】
通信装置、特に携帯電話やＰＤＡ（Ｐｅｒｓｏｎａｌ  Ｄｉｇｉｔａｌ  Ａｓｓｉｓｔａｎｔｓ）などの携帯端末において、個人の情報、音楽、動画や静止画などの多くのファイルが格納されるようになっている。通信装置が保有可能なデータ量は限られているため、通信装置内に格納されているデータの通信装置外へのバックアップが随時必要となる。
【０００９】
このとき、上述した特許文献１、３、４、５に記載の通信装置においては、通信装置に格納されているデータのバックアップを行なうためには、充電のための動作に加えて、何らかの動作を行なわなければならない。このため、通信装置に格納されているデータのバックアップが簡素でないという問題があった。
【００１０】
また、上述した特許文献２に記載の通信装置においては、充電が終了した後にデータのバックアップを行なう。このため、データのバックアップに時間を要し、通信装置に格納されているデータのバックアップが簡素でないという問題があった。
【００１１】
本発明の目的は、上述した課題である通信装置のデータのバックアップを簡素にすることを目的とする。
【課題を解決するための手段】
【００１２】
上記目的を達成するために、本願発明のデータ保存システムは、充電式電池と、前記充電式電池に電力を供給する通信装置用充電端子と、前記通信装置用充電端子が充電装置の充電装置用充電端子に接続されたことを契機に、予め定められたデータを前記通信装置用充電端子に出力する電力線通信制御回路と、を備える通信装置、及び、前記通信装置に電力を供給する充電装置用充電端子と、前記充電装置用充電端子に入力されたデータを記憶する記憶回路と、前記充電装置用充電端子が前記通信装置用充電端子に接続されたことを契機に、前記充電装置用充電端子を介して前記通信装置に電力を供給するとともに、前記充電装置用充電端子に入力されたデータを前記記憶回路に記憶させる充電制御回路と、を備える充電装置と、を備える充電装置を有する。
【００１３】
上記目的を達成するために、本願発明の通信装置は、充電式電池と、前記充電式電池に電力を供給する通信装置用充電端子と、前記通信装置用充電端子が充電装置の充電装置用充電端子に接続されたことを契機に、予め定められたデータを前記通信装置用充電端子に出力する電力線通信制御回路と、を備える。
【００１４】
上記目的を達成するために、本願発明の充電装置は、通信装置に電力を供給する充電装置用充電端子と、前記充電装置用充電端子に入力されたデータを記憶する記憶回路と、前記充電装置用充電端子が前記通信装置の通信装置用充電端子に接続されたことを契機に、前記充電装置用充電端子を介して前記通信装置に電力を供給するとともに、前記充電装置用充電端子に入力されたデータを前記記憶回路に記憶させる充電制御回路と、を備える。
【００１５】
上記目的を達成するために、本願発明のデータ保存方法は、通信装置に備わる通信装置用充電端子と充電装置に備わる充電装置用充電端子が接続されると、前記通信装置用充電端子及び前記充電装置用充電端子を介して前記充電装置から前記通信装置へ電力を供給するとともに、前記通信装置用充電端子及び前記充電装置用充電端子を介して前記通信装置に格納されている予め定められたデータを前記充電装置に転送し、前記充電装置の記憶回路に記憶させるデータ転送手順を有する。
【００１６】
上記目的を達成するために、本願発明の通信装置のデータ保存プログラムは、充電式電池に接続されている通信装置用充電端子が充電装置に接続されたことを契機に、前記通信装置用充電端子から前記充電式電池に電力を供給するとともに、記憶回路に記憶されているデータを前記通信装置用充電端子に出力するデータ転送ステップ、をコンピュータに実行させる。
【００１７】
上記目的を達成するために、本願発明の充電装置のデータ保存プログラムは、電力供給用の前記充電装置用充電端子が通信装置に接続されたことを契機に、前記充電装置用充電端子に電力を供給するとともに、前記充電装置用充電端子に入力されるデータを記憶回路に記憶させるデータ転送ステップ、をコンピュータに実行させる。
【発明の効果】
【００１８】
本発明によれば、通信装置のデータのバックアップを簡素にすることができる。
【図面の簡単な説明】
【００１９】
【図１】実施形態１に係るデータ保存システムの概略構成図である。
【図２】実施形態１に係るデータ保存方法の一例を示す流れ図である。
【図３】実施形態１に係る通信装置のデータ保存プログラムの流れ図である。
【図４】実施形態１に係る充電装置のデータ保存プログラムの流れ図である。
【図５】実施形態２に係る通信装置と充電装置の接続例を示す概略図である。
【図６】実施形態２に係る通信装置と充電装置の具体的な構成例である。
【図７】実施形態３に係るデータ保存システムの概略構成図である。
【図８】実施形態３に係るデータ保存方法の一例を示す流れ図である。
【図９】実施形態３に係る通信装置のデータ保存プログラムの流れ図である。
【図１０】実施形態３に係る充電装置のデータ保存プログラムの流れ図である。
【発明を実施するための形態】
【００２０】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２１】
（実施形態１）
図１は、本実施形態に係るデータ保存システムの概略構成図である。本実施形態に係るデータ保存システム９５は、通信装置９１と、充電装置９２と、を備える。
【００２２】
通信装置９１は、通信装置用充電端子１１と、電力線通信制御回路１２と、充電式電池１４と、を備える。充電装置９２は、充電装置用充電端子２１と、充電制御回路２２と、記憶回路２３と、を備える。
【００２３】
電力線通信制御回路１２と、例えばＣＰＵ（Ｃｅｎｔｒａｌ  Ｐｒｏｃｅｓｓｉｎｇ  Ｕｎｉｔ）である。充電制御回路２２も、例えばＣＰＵである。記憶回路２３は、例えば、ＣＰＵの内部又はＣＰＵの外部に備わるメモリである。
【００２４】
本実施形態に係るデータ保存システムは、本実施形態に係るデータ保存方法を実行する。図２は、本実施形態に係るデータ保存方法の一例を示す流れ図である。本実施形態に係るデータ保存方法は、データ転送手順Ｓ１１１を有する。
【００２５】
データ転送手順Ｓ１１１では、通信装置９１に備わる通信装置用充電端子１１と充電装置９２に備わる充電装置用充電端子２１が接続されると、通信装置用充電端子１１及び充電装置用充電端子２１を介して充電装置９２から通信装置９１へ電力を供給するとともに、通信装置用充電端子１１及び充電装置用充電端子２１を介して通信装置９１に格納されている予め定められたデータを充電装置９２に転送し、充電装置９２の記憶回路２３に記憶させる。
【００２６】
例えば、図１に示す通信装置用充電端子１１及び充電装置用充電端子２１は、電力線通信制御回路１２と充電制御回路２２とを電力線で接続する端子である。充電制御回路２２は、充電装置用充電端子２１を介して通信装置９１に電力を供給する。例えば充電装置９２の外部からＡＣ電源が供給され、ＤＣ電源に変換して充電装置用充電端子２１に出力する。これによって、電力線通信制御回路１２に電力が供給される。電力線通信制御回路１２は、供給された電力を充電式電池１４に供給する。これによって、データ保存システム９５は、充電装置９２から通信装置９１へ充電する。
【００２７】
一方で、電力線通信制御回路１２は、予め定められたデータを通信装置用充電端子１１に出力する。通信装置用充電端子１１に出力されたデータは、電力線を介して充電制御回路２２に入力される。充電制御回路２２は、充電装置用充電端子２１に入力されたデータを記憶回路２３に記憶させる。記憶回路２３は、充電装置用充電端子２１に入力されたデータを記憶する。これによって、データ保存システム９５は、通信装置９１から充電装置９２へ予め定められたデータのバックアップを行なう。
【００２８】
なお、通信装置９１は、通信装置のデータ保存プログラムをコンピュータに実行させることで実現してもよい。図３は、本実施形態に係る通信装置のデータ保存プログラムの一例を示す流れ図である。本実施形態に係る通信装置のデータ保存プログラムは、データ転送ステップＳ２１１をコンピュータに実行させる。
【００２９】
この場合、データ転送ステップＳ２１１では、充電式電池１４に接続されている通信装置用充電端子１１が充電装置９２に接続されたことを契機に、通信装置用充電端子１１から充電式電池１４に電力を供給するとともに、通信装置９１の記憶回路（不図示）に記憶されているデータを通信装置用充電端子１１に出力する。これにより、コンピュータを通信装置９１として機能させることができる。
【００３０】
また、充電装置９２は、充電装置のデータ保存プログラムをコンピュータに実行させることで実現してもよい。図４は、本実施形態に係る充電装置のデータ保存プログラムの一例を示す流れ図である。本実施形態に係る充電装置のデータ保存プログラムは、データ転送ステップＳ３１１をコンピュータに実行させる。
【００３１】
この場合、データ転送ステップＳ３１１では、電力供給用の充電装置用充電端子２１が通信装置９１に接続されたことを契機に、充電装置用充電端子２１に電力を供給するとともに、充電装置用充電端子２１に入力されるデータを記憶回路２３に記憶させる。これにより、コンピュータを充電装置９２として機能させることができる。
【００３２】
本実施形態に係る通信装置９１、充電装置９２、データ保存システム９５を備え、本実施形態に係るデータ保存方法を実行することで、新たな接続端子を設けることなく、充電する電力線にデータ通信を重畳し、通信装置９１に格納されているデータのバックアップを行なうことができる。したがって、通信装置９１に格納されているデータのバックアップを簡素で安価に行なうことができる。
【００３３】
また、通信装置９１の記憶容量を大きくする必要がないため、通信装置９１の通信容量が増えた場合であっても、通信装置９１を大型化する必要がない。このため、小型で大容量通信が可能な通信装置を提供することができる。
【００３４】
さらに、通信装置９１外に記憶するので、簡素な構成で安価に記憶容量の増設が可能である。
【００３５】
（実施形態２）
図５に、通信装置と充電装置の接続例を示す。通信装置９１は、充電装置９２に設置されている。充電装置９２は充電装置用充電端子２１が設けられており、充電制御回路２２と接続されている。充電制御回路２２は記憶回路２３と接続されている。充電制御回路２２は外部ＡＣ電源と接続されており、外部より電源供給されている。
【００３６】
本実施形態に係るデータ保存システムでは、通信装置９１は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）を含む携帯端末である。充電装置９２は、通信装置９１の備える充電式電池１４に充電する卓上ホルダである。これらの通信装置９１は充電装置９２に接続する機会が多く、充電の度にデータのバックアップを行なうことで、データのバックアップを頻繁に行なうことができる。
【００３７】
通信装置９１は充電装置９２と通信装置用充電端子１１を介して接触可能となっている。電力線が電力線通信制御回路１２と通信装置用充電端子１１を接続する。
【００３８】
図６に、通信装置と充電装置の具体的な構成例を示す。通信装置９１と充電装置９２の間には電力を供給するための通信装置用充電端子１１と充電装置用充電端子２１が接触可能となっている。電力線通信制御回路１２と充電制御回路２２とは電力線で接続されている。電力線を用いて高周波を伝送することで、データ通信を行なう。
【００３９】
通信装置９１内の電力線通信制御回路１２は、通信装置用充電端子１１を介して充電装置９２より電力が供給される。電力線通信制御回路１２は、供給された電力の充電式電池１４に充電する。さらに電力線通信制御回路１２は、電力線に高周波を重畳することでデータを送信し、電力線で伝送された高周波を抽出することでデータを受信する。これによって、通信装置９１は、充電装置９２との間でデータを送受信する。
【００４０】
充電制御回路２２は、通信装置９１に電力を供給するとともに、通信装置９１とのデータの送受信を行なう。通信装置９１とのデータの送受信は、例えば、電力線に高周波を重畳することでデータを送信し、電力線で伝送された高周波を抽出することでデータを受信することで行なう。
【００４１】
ここで、電力線通信制御回路１２は、電力線搬送方式を用いて予め定められたデータを通信装置用充電端子１１に出力する。充電制御回路２２は、電力線搬送方式を用いて伝送されたデータを充電装置用充電端子２１から取得する。これにより、電力線通信制御回路１２から充電制御回路２２に予め定められたデータを転送する。電力線搬送方式は、例えば、４５０ｋＨｚ以下の周波数を用いる低速ＰＬＣ、又は、２ＭＨｚ以上３０ＭＨｚ以下の周波数帯域を用いる高速ＰＬＣである。
【００４２】
また、予め定められたデータは、音楽又は動画であってもよい。音楽や動画はファイル容量が大きいため、記憶回路１３に格納されている音楽や動画のデータを充電装置９２の記憶回路２３に移動させることで、記憶回路１３の空き領域を効率的に確保することができる。これにより、通信装置９１がダウンロードしたファイルを記憶する記憶容量を随時確保することができる。
【００４３】
通信装置９１の通信装置用充電端子１１と充電装置９２の充電装置用充電端子２１とが接続されたことを契機に、電力線を通じて通信装置９１から充電装置９２にデータのバックアップを行なう。これにより、通信装置９１から充電装置９２へのデータのバックアップを簡易に行なうことができる。
【００４４】
なお、図５では、通信装置に内蔵されている充電用端子を通信装置用充電端子１１として用いているが、これに限定されない。例えば、通信装置９１の通信装置用充電端子１１と充電装置９２の充電装置用充電端子２１とを接触可能な構造であればよい。
【００４５】
（実施形態３）
図７は、本実施形態に係るデータ保存システムの概略図である。本実施形態に係るデータ保存システム９６は、図１に示す通信装置９１に記憶回路１３及び外部出力回路１５をさらに備える。
【００４６】
本実施形態に係るデータ保存システム９６は、本実施形態に係るデータ保存方法を実行する。図８は、本実施形態に係るデータ保存方法の一例を示す流れ図である。本実施形態に係るデータ保存方法は、図２に示すデータ転送手順Ｓ１１１の後に、読み出し要求手順Ｓ１１２と、データ出力手順Ｓ１１３と、を順にさらに有する。
【００４７】
読み出し要求手順Ｓ１１２では、データ転送手順Ｓ１１１で転送したデータのうちの特定のデータの読み出しを、充電装置９２に要求する。データ出力手順Ｓ１１３では、読み出し要求手順Ｓ１１２で要求された特定のデータを、充電装置９２から通信装置９１に読み出し、特定のデータを視聴可能にする外部出力回路１５に出力する。
【００４８】
例えば、通信装置９１の電力線通信制御回路１２は、充電装置９２に特定のデータの読み出しを要求する。充電装置９２の充電制御回路２２は、通信装置９１の電力線通信制御回路１２から要求を取得すると、要求のあった特定のデータを記憶回路２３から読み出して、通信装置９１に出力する。電力線通信制御回路１２は、当該特定のデータを取得し、当該特定のデータを視聴可能にする外部出力回路１５に出力する。
【００４９】
ここで、外部出力回路１５は、例えば、特定のデータが音楽であれば音楽を再生可能なスピーカであり、特定のデータが静止画や動画などの画像であれば画像を再生可能なＬＣＤ（Ｌｉｑｕｉｄ  Ｃｒｙｓｔａｌ  Ｄｉｓｐｌａｙ）などのディスプレイである。
【００５０】
なお、通信装置９１は、通信装置のデータ保存プログラムをコンピュータに実行させることで実現してもよい。図９は、本実施形態に係る通信装置のデータ保存プログラムの一例を示す流れ図である。本実施形態に係る通信装置のデータ保存プログラムは、図３に示すデータ転送ステップＳ２１１の後に、読み出し要求ステップＳ２１２と、データ出力ステップＳ２１３と、を順にコンピュータに実行させる。
【００５１】
この場合、読み出し要求ステップＳ２１２では、データ転送ステップＳ２１１で転送したデータのうちの特定のデータの読み出しを要求する読出要求信号を通信装置用充電端子１１に出力する。データ出力ステップＳ２１３では、読み出し要求ステップＳ２１２で要求した特定のデータを通信装置用充電端子１１から取得して、特定のデータを視聴可能にする外部出力回路１５に出力する。これにより、コンピュータを通信装置９１として機能させることができる。
【００５２】
また、充電装置９２は、充電装置のデータ保存プログラムをコンピュータに実行させることで実現してもよい。図１０は、本実施形態に係る充電装置のデータ保存プログラムの一例を示す流れ図である。本実施形態に係る充電装置のデータ保存プログラムは、図４に示すデータ転送ステップＳ３１１の後に、読み出し要求ステップＳ３１２と、読み出しステップＳ３１３と、を順にコンピュータに実行させる。
【００５３】
この場合、読み出し要求ステップＳ３１２では、データ転送ステップＳ３１１で記憶したデータのうちの特定のデータの読み出しを要求する読出要求信号要求を充電装置用充電端子２１から取得する。読み出しステップＳ３１３では、読み出し要求ステップＳ３１２で要求された特定のデータを記憶回路２３から読み出し、充電装置用充電端子２１に出力する。これにより、コンピュータを通信装置９２として機能させることができる。
【００５４】
音楽や動画を通信装置９１で視聴する際には、途中で電池切れが生じないように、通信装置９１に内蔵されている充電式電池１４に充電をしながら視聴することが多い。このときに、通信装置９１への充電と同時に充電装置９２内に格納されているデータを通信装置９１に読み出して視聴することができる。充電装置９２の記憶容量を大容量にしておくことで、長時間の動画や音楽なども充電装置９２内に格納されているデータを使用して視聴することができる。したがって、本実施形態に係る通信装置９１、充電装置９２又はデータ保存システム９６を備え、本実施形態に係るデータ保存方法を実行することで、長時間の動画や音楽などのデータ配信サービスを簡易な構成で提供することが可能になる。
【産業上の利用可能性】
【００５５】
本発明は情報通信産業に適用することができる。
【符号の説明】
【００５６】
１１：通信装置用充電端子
１２：電力線通信制御回路
１３：記憶回路
１４：充電式電池
１５：外部出力回路
２１：充電装置用充電端子
２２：充電制御回路
２３：記憶回路
９１：通信装置
９２：充電装置
９５、９６：データ保存システム
【図１】
2011050002.tif 000003
【図２】
2011050002.tif 000004
【図３】
2011050002.tif 000005
【図４】
2011050002.tif 000006
【図５】
2011050002.tif 000007
【図６】
2011050002.tif 000008
【図７】
2011050002.tif 000009
【図８】
2011050002.tif 000010
【図９】
2011050002.tif 000011
【図１０】
2011050002.tif 000012